(57)【要約】【課題】  電気製品の操作パネルがどのような形状をしているか容易に識別可能にし、取扱に便利な家庭用電気製品の操作パネルの取扱説明書を提供する。【解決手段】  家庭用電気製品の操作パネルは、少なくとも電源スイッチボタン、機能選択ボタン、時間設定ボタンが異なる形状で、かつ突設して設けられている。その取扱説明書９は、前記電源スイッチボタン、前記機能選択ボタン、前記時間設定ボタンと近似した形状のボタン対応マーク１０と、それに対応するボタン機能説明文１１が突設して記載されている。【選択図】  図４
2006159721.tif 000002
【特許請求の範囲】
【請求項１】
少なくとも電源スイッチボタン、機能選択ボタン、時間設定ボタンの各種ボタンが異な
る形状で、かつ突設して設けられている操作パネルを有する家庭用電気製品の取扱説明書
であって、前記各種ボタンに近似した形状のボタン対応マークと、それに対応するボタン
機能説明文を有することを特徴とする家庭用電気製品の操作パネルの取扱説明書。
【請求項２】
少なくとも電源スイッチボタン、機能選択ボタン、時間設定ボタンの各種ボタンが異な
る形状で、かつ突設して設けられている操作パネルを有する家庭用電気製品の取扱説明書
であって、前記電気製品の各種操作方法が操作順にしたがって前記各種ボタンに近似した
形状のボタン対応マークと、それに対応するボタン操作説明文が記載されていることを特
徴とする家庭用電気製品の操作パネルの取扱説明書。
【請求項３】
少なくとも電源スイッチボタン、機能選択ボタン、時間設定ボタンの各種ボタンが異な
る形状で、かつ突設して設けられている操作パネルを有する家庭用電気製品の取扱説明書
であって、前記電気製品の前記操作パネルに近似した立体図形と、その立体図形の前記各
種ボタンのボタン対応マークに対応するボタン機能説明文を有することを特徴とする家庭
用電気製品の操作パネルの取扱説明書。
【発明の詳細な説明】
【技術分野】
【０００１】
本発明は、高齢者や目の不自由な人にとって使い勝手を良くする家庭用電気製品の操作
パネルの取扱説明書に関する。
【背景技術】
【０００２】
従来から家庭用電気製品には、その製品の取り扱いを記載した取扱説明書が必ず添付さ
れている。しかしながら、その取扱説明書は文字が細かく、高齢者や、目の不自由な人に
は読みづらく、使い勝手の悪いものであった。その対策として説明文の文字を大きくする
ことや、よく使用される主要な機能については、絵や写真などで要約した説明書を製作し
て添付することにより、理解しやすい取扱説明書を製作することが一般的に行われている
（例えば、特許文献１参照。）。
【０００３】
しかし、上記の取扱説明書であっても、電気製品の多機能化によりボタン等の操作部の
数が多い場合などでは、説明文が商品のどの操作部に該当しているのか認識し難いことが
あった。
【特許文献１】特開平６−２１４５０７号公報（第４頁、図９）
【発明の開示】
【発明が解決しようとする課題】
【０００４】
上述したように、従来は、取扱説明書の説明文の内容が電気製品のどの操作部に該当し
ているのか認識し難い問題があった。
【０００５】
本発明は上記問題を解決するためになされたもので、商品の操作部がどのような形状を
しているか容易に識別可能とする家庭用電気製品の操作パネルの取扱説明書を提供するこ
とを目的とする。
【課題を解決するための手段】
【０００６】
上記目的を達成するために、本発明に係る操作パネルの取扱説明書は、少なくとも電源
スイッチボタン、機能選択ボタン、時間設定ボタンの各種ボタンが異なる形状で、かつ突
設して設けられている操作パネルを有する家庭用電気製品の取扱説明書であって、前記各
種ボタンに近似した形状のボタン対応マークと、それに対応するボタン機能説明文を有す
ることを特徴とする。
【発明の効果】
【０００７】
本発明に係る家庭用電気製品の操作パネルの取扱説明書によれば、商品の操作パネルは
どういった形状のものであるかの説明文や絵を必要とせず、弱視者や高齢者が操作部の形
状を容易に識別することができるため、電気製品の取り扱いを容易に理解することが可能
となる。
【発明を実施するための最良の形態】
【０００８】
以下、図面を用いて本発明の実施形態を説明する。
【実施例１】
【０００９】
本発明に係る家庭用電気製品の操作パネルをオーブンレンジに適用した場合の第１の実
施形態を、図１乃至図４を参照して説明する。
【００１０】
図１は、本発明に係る操作パネルを適用したオーブンレンジの斜視図。図２は、そのオ
ーブンレンジの操作パネルの斜視図。図３は、そのオーブンレンジの操作パネルの右側面
図。図４は、その操作パネルの取扱説明書の一部の斜視図（ボタンの説明）である。
【００１１】
先ず、本発明を適用したオーブンレンジ１は、略直方体形状の筐体を有する本体２と、
この本体２の前面の一部を形成するドア３と、そのドア３の例えば右側に設けられており
、各種操作部と表示部５を有する操作パネル４で構成されている。
【００１２】
操作パネル４の各種操作部は、図２に示すように突設されており、例えば、縦長長方形
状を有する機能選択部６、八角形状を有する電源スイッチ部７と、丸枠形状を有する時間
調整部８などによって構成されている。
【００１３】
そして、機能選択部６は、横長楕円形状のレンジ機能選択ボタン６ａ、縦長楕円形状の
オーブン機能選択ボタン６ｂが設けられている。また、電源スイッチ部７は、右側を頂点
とする三角形状のスタートボタン７ａ、正四角形状の停止ボタン７ｂが設けられている。
【００１４】
また、時間調整部８は、上括弧形状の時間増調整ボタン８ａ、下括弧形状の時間減調整ボ
タン８ｂが設けられている。
【００１５】
これらの各種操作部に設けられた各種ボタンは図３に示すように、すべて操作パネル４
の前面から所定の高さほど突設したタクトスイッチで構成されている。このタクトスイッ
チは、ボタンを押下させた後は元の高さまでもどる構成を有している。
【００１６】
表示部５には例えばＬＥＤが使用されており、各種操作部の操作に応じて内蔵するマイ
コン等が動作して、その操作内容が表示されるように構成されている。例えば、機能選択
ボタン７ａ又は７ｂを押すことによって、表示部５の機能表示部５ａの「レンジ」又は「
オーブン」のいずれかが点灯する。同様に、時間調整ボタン８ａ又は８ｂを押すことによ
り表示部５の時間表示部５ｂが点灯し、押された回数に応じて調理時間を増加又は減少し
て表示する。この時間調整のレンジは、例えば１０秒から３０分で、１回押すたびに所定
の時間分単位で表示を調整することができる。
【００１７】
そして、オーブンレンジ１のドア３を開いて調理品を内部に置き、上記表示部５を見な
がらボタン操作によって「レンジ」又は「オーブン」の機能選択を行い、調理時間を設定
調整した後、スタートボタン７ａを押すことにより調理品を温める等の動作を行う。稼動
途中にオーブンレンジ１を停止させるには、停止ボタン７ｂを押すことにより調理が停止
する。
【００１８】
図４は、その操作パネルの取扱説明書９の一例を示している。この取扱説明書９はエン
ボス紙からなり、オーブンレンジ１の操作パネル４に設けられている各種ボタン（タクト
スイッチ）と近似した形状であるボタン対応マーク１０がエンボス加工により突状に形成
され縦に並んでいる。更に、そのボタン対応マーク１０の右側に、そのボタン形状の機能
の簡潔なボタン機能説明文１１が突状の大きな文字によって表記されている。
【００１９】
このように本発明の取扱説明書９によれば、商品の操作ボタンと近似した形状のマーク
を記すボタン対応マーク１０と、その形状に対応して機能説明文１２を記載させた態様で
構成され、かつ、エンボス加工で突状に形成されているため、弱視者や高齢者にも容易に
操作部がどのような形状をしているか認識することができる。
【実施例２】
【００２０】
次に、本発明に係る取扱説明書の操作手順例を説明する。
【００２１】
図５は、例えば「食パンの焼き方」の操作手順を説明する取扱説明書である。即ち、「
食パンの焼き方」手順は、食パンをオーブンレンジ庫内に設置し、オーブン機能選択ボタ
ン６ｂで「オーブン」を選択し、時間調整増ボタン８ａで調理時間を５分に設定し、スタ
ートボタン７ａを押す。この操作を行うことにより、オーブンレンジ１内のヒーター（出
力１０００Ｗ）（図示せず。）がマイコン制御により加熱され、食パンが焼きあがる。
【００２２】
この操作手順を使用者に導くにあたって、図５に示すように取扱説明書９には操作順に
、まず、操作手順番号１２である「１」、ボタン対応マーク１０であるオーブン機能選択
ボタン６ｂのマーク、ボタン操作説明文１３である「押す」が記載され、２段目に「２」
、時間調整増ボタン８ａのマーク、「５回押す」と記載され、３段目に「３」スタートボ
タン７ａのマーク、「押す」と記載されている。これらの操作手順はいずれも突形状に設
けられ、説明されている。
【００２３】
同様に図６は、例えば「牛乳のあたため方（２００ｍｌ）」の操作手順例を説明する取
扱説明書である。
【００２４】
即ち、「牛乳のあたため方（２００ｍｌ）」の手順は、牛乳２００ｍｌをオーブンレン
ジ庫内に設置し、レンジ機能選択ボタン６ａで「レンジ」を選択し、時間調整増ボタン８
ａで調理時間を２分に設定し、スタートボタン７ａを押す。この操作を行うことにより、
オーブンレンジ１内のマグネトロン（図示せず。）がマイコン制御され、マグネトロンか
らマイクロ波がオーブンレンジ１庫内の牛乳に照射（高周波出力５００Ｗ）され、２分間
誘電加熱されることによって牛乳が温まる。
【００２５】
この操作手順を使用者に導くにあたって、図６に示すように取扱説明書９には操作順に
、まず操作手順番号１２である「１」、ボタン対応マーク１０であるレンジ機能選択ボタ
ン６ａのマーク、ボタン操作説明文１３である「押す」が記載され、２段目に「２」時間
調整増ボタン８ａのマーク、「押す」と記載され、３段目に「３」時間調整増ボタン８ａ
のマーク、「押す」と記載され、４段目に「４」、スタートボタン７ａのマーク、「押す
」と記載されている。これらの操作手順はいずれも突形状に設けられ、説明されている。
【００２６】
このように取扱説明書９に操作順にボタン対応マーク１０とボタン操作説明文１３を記
載した態様にすることにより、弱視者や高齢者にも容易に操作手順が理解可能で、かつど
の操作部を操作すれば良いかも容易に理解することが可能となる。
【実施例３】
【００２７】
本発明に係る取扱説明書の他の一例を説明する。
【００２８】
即ち、図７に示す取扱説明書９では、オーブンレンジ１の操作パネル４全体の形状と近
似した立体図形の操作パネル対応部１４と、操作パネル４に設けられた各種ボタンの位置
と形状に近似した突状のボタン対応マーク１０と、各種ボタンの機能を説明するボタン機
能説明文１１とをエンボス加工して設けた取扱説明書である。
【００２９】
立体図形は、操作パネル４全体を模擬して、各種ボタンの位置が把握可能にエンボス加
工をしており、その態様は図２と略同一である。さらにボタン各種ボタン対応マーク１０
に矢印を伸ばし、矢印の始点には簡略化されたボタン機能説明文１１が突状文字で記載さ
れている。これにより、オーブンレンジ１の操作パネル４がどのような機能を有している
か容易に把握することが可能な構成となっている。
【００３０】
このように取扱説明書９に操作パネル４の形状を模擬した立体図形を備え、その立体図
形に引き出し線にて説明文を付加することにより、弱視者や高齢者にも容易に操作ボタン
がどこに位置し、どのような形状をしているか認識することができる。さらにどのような
機能を有するものであるか把握することが可能となる。
【００３１】
これら実施の形態は、取扱説明書９に設けられたボタン対応マーク１０、操作パネル対
応部１４にあわせて、其々の写真若しくは絵を印刷してもよい。このような形状にするこ
とにより、より認識しやすくなる。
【００３２】
これら実施形態は、其々組み合わせて取扱説明書としても構わない。また組み合わせて
製本する場合は、其々のページにパンチ穴を設け、リング状のファイル等にファイリング
すればよい。その際、エンボス加工部がつぶれないようにゆとりをもってファイリングす
ることが望ましい。
【００３３】
これら実施形態は、取扱説明書をエンボス紙としたが、紙ではなく合成樹脂等を使用し
射出成形しても良い。
【００３４】
またこれらは通常の説明書と、本発明の説明書を組み合わせても良い。そうすることに
より、健常者に対してはより詳細な商品説明が可能となる。
【００３５】
また本発明の取扱説明書には、説明項目毎のページの端部に切欠き部や突部を設けるこ
とにより、求める説明項目のページをめくりやすくなる。
【００３６】
これら実施形態は取扱説明書では、説明文として文字を使用したが、その文字付近に点
字を併記しても良い。
【００３７】
以上、本発明に係る取扱説明書について代表的と思われる実施形態を基に詳述したが、
対象となる電気製品はオーブンレンジに限定されず、操作部を有し、商品の機能に対する
操作手順を必要とする洗濯機や食器洗浄器のような他の商品であってもよい。
【図面の簡単な説明】
【００３８】
【図１】本発明に係る家庭用電気製品の操作パネルをオーブンレンジに適用した場合の斜視図。
【図２】本発明に係る家庭用電気製品の操作パネルを適用したオーブンレンジの操作パネルの斜視図。
【図３】本発明に係る家庭用電気製品の操作パネルを適用したオーブンレンジの操作パネルの右側面図。
【図４】本発明に係る操作パネルの取扱説明書の一例を示す図（ボタンの説明）。
【図５】本発明に係る操作パネルの取扱説明書の操作手順例を示す図（食パンの焼き方）。
【図６】本発明に係る操作パネルの取扱説明書の他の操作手順例を示す図（牛乳のあたため方（２００ｍｌ））。
【図７】本発明に係る操作パネルの取扱説明書の他の一例を示す図（ボタンの説明）。
【符号の説明】
【００３９】
１  オーブンレンジ
２  本体
３  ドア
４  操作パネル
５  表示部
５ａ  機能表示部
５ｂ  温度表示部
６  機能選択部
６ａ  レンジ機能選択ボタン
６ｂ  オーブン機能選択ボタン
７  電源スイッチ部
７ａ  スタートボタン
７ｂ  停止ボタン
８  時間調整部
８ａ  時間調整増ボタン
８ｂ  時間調整減ボタン
９  取扱説明書
１０  ボタン対応マーク
１１  ボタン機能説明文
１２  操作手順番号
１３  ボタン操作説明文
１４  操作パネル対応部
【図１】
2006159721.tif 000003
【図２】
2006159721.tif 000004
【図３】
2006159721.tif 000005
【図４】
2006159721.tif 000006
【図５】
2006159721.tif 000007
【図６】
2006159721.tif 000008
【図７】
2006159721.tif 000009